(57)【要約】【課題】コストの上昇を抑制することが可能な構造を備える単位片印刷用シートを提供する。【解決手段】この単位片印刷用シート１は、シート１０と、このシート１０上に印刷された分離層２０とを備え、シート１０には、単位片を形成するライン状切り込みＣが設けられ、分離層２０は、ライン状切り込みＣの形成位置に沿って線条に設けられている。【選択図】図３
2017001286.tif 000002
【特許請求の範囲】
【請求項１】
シートと、
前記シート上に印刷された分離層と、
を備え、
前記シートには、単位片を形成するカットラインが設けられ、
前記分離層は、前記カットライン形成位置に沿って線条に設けられている、
単位片印刷用シート。
【請求項２】
前記カットラインは、前記分離層を形成した後、前記カットラインを前記分離層に入り込む位置にまで設けられたライン状切り込みである、請求項１に記載の単位片印刷用シート。
【請求項３】
前記カットラインは、前記シートを部分的に切り離したミシン目状切り込みを形成した後、前記分離層を、前記部分的に切り離した前記シートの断面にまで達するように設けられている、請求項１に記載の単位片印刷用シート。
【請求項４】
前記シートは、普通紙、合成紙、および、フィルムのいずれかである、請求項１から請求項３のいずれか１項に記載の単位片印刷用シート。
【発明の詳細な説明】
【技術分野】
【０００１】
本発明は、名刺カードなどの集合印刷などに用いる、単位片印刷用シートに関するものである。
【背景技術】
【０００２】
従来、名刺や葉書などのように印刷内容および寸法が全く同じであるカードを希望枚数作成するには、各々の寸法に適した専用印刷機で印刷を行なう必要があった。さらに、印刷機での版代のコストが高く、非常に割高であった。
【０００３】
他方、上述のように１枚ずつ印刷するよりも、カードとなる単位片を１枚の印刷用紙あたりに多数複数同時に一括印刷する方が効率的であり、印刷に要するコストを低く抑えることができる。名刺や葉書などのように、印刷物の寸法と印刷内容とが全く同じである場合は、特に、印刷に要するコストを低く抑えることができる。
【０００４】
このような単位片印刷用シートが、印刷業専用機対応のみでなく、版が不必要な印刷方式であるパソコンプリンターや複写機にも対応できるようになっていると、より一層便利である。このような、単位片印刷用シートおよびその製造方法については、特開２００４−１７５４１号公報（特許文献１）に開示されている。
【先行技術文献】
【特許文献】
【０００５】
【特許文献１】特開２００４−１７５４１号公報
【発明の概要】
【発明が解決しようとする課題】
【０００６】
しかしながら、上記特許文献１に開示される単位片印刷用シートにおいては、ベースとなるシートに特殊なシートを用いることから、単位片印刷用シートに要するコストの上昇を避けることができないものである。
【０００７】
したがって、本発明はこのような課題を解決するためになされたもので、コストの上昇を抑制することが可能な構造を備える単位片印刷用シートを提供することにある。
【課題を解決するための手段】
【０００８】
この単位片印刷用シートにおいては、用紙と、用紙上に印刷された分離層とを備え、上記用紙には、単位片を形成するカットラインが設けられ、上記分離層は、上記カットライン形成位置に沿って線条に設けられている。
【０００９】
他の形態の単位片印刷用シートにおいては、上前記カットラインは、上記分離層を形成した後、上記カットラインを上記分離層に入り込む位置にまで設けられたライン状切り込みである。
【００１０】
他の形態の単位片印刷用シートにおいては、上記カットラインは、上記シートを部分的に切り離したミシン目状切り込みを形成した後、上記分離層を、上記部分的に切り離した上記シートの断面にまで達するように設けられている。
【００１１】
他の形態の単位片印刷用シートにおいては、上記シートは、普通紙、合成紙、および、フィルムのいずれかである。
【発明の効果】
【００１２】
この単位片印刷用シートによれば、コストの上昇を抑制することが可能な構造を備える単位片印刷用シートを提供することを可能とする。
【図面の簡単な説明】
【００１３】
【図１】実施の形態１における単位片印刷用シートの斜視図である。
【図２】実施の形態１における単位片印刷用シートの平面図である。
【図３】図２中のＩＩＩ−ＩＩＩ線矢視断面図である。
【図４】図２中のＩＶ−ＩＶ線矢視断面図である。
【図５】実施の形態１における単位片印刷用シートの製造工程を示す第１断面図である。
【図６】実施の形態１における単位片印刷用シートの製造工程を示す第２断面図である。
【図７】実施の形態１における単位片印刷用シートの名刺用紙への分離状態を示す断面図である。
【図８】実施の形態１における単位片印刷用シートの製造工程のフローを示す模式図である。
【図９】実施の形態２における単位片印刷用シートの平面図である。
【図１０】実施の形態２における用紙のみの平面図である。
【図１１】図１０中のＸＩ−ＸＩ線矢視断面図である。
【図１２】図９中のＸＩＩ−ＸＩＩ線矢視断面図である。
【図１３】実施の形態２における単位片印刷用シートの名刺用紙への分離状態を示す断面図である。
【発明を実施するための形態】
【００１４】
各本実施の形態に基づいた単位片印刷用シートおよびその製造方法について、以下、図を参照しながら説明する。なお、以下に説明する各実施の形態において、個数、量などに言及する場合、特に記載がある場合を除き、各実施の形態の範囲は必ずしもその個数、量などに限定されない。また、同一の部品、相当部品に対しては、同一の参照番号を付し、重複する説明は繰り返さない場合がある。また、各実施の形態における構成を適宜組み合わせて用いることは当初から予定されていることである。
【００１５】
各実施の形態における単位片印刷用シートが分離されて使用される単位片には、名刺用紙（５５ｍｍ×９１ｍｍ）、キャッシュカード（５５ｍｍ×８６ｍｍ）、葉書用紙（１００ｍｍ×１４８．５ｍｍ）、および、写真用紙（Ｌ版：８９ｍｍ×１２７ｍｍ）等の様々なサイズの用紙を用いることができるが、各実施の形態では、名刺用紙１０Ａに分離される単位片印刷用シートを一例にして、以下説明する。
【００１６】
（実施の形態１：単位片印刷用シート１）
図１から図４を参照して、本実施の形態における単位片印刷用シート１について説明する。図１は、単位片印刷用シート１の斜視図、図２は、単位片印刷用シートの平面図、図３は、図２中のＩＩＩ−ＩＩＩ線矢視断面図、図４は、図２中のＩＶ−ＩＶ線矢視断面図である。
【００１７】
この単位片印刷用シート１は、後に個々に分離される２×５の名刺用紙１０Ａを有しているシート１０と、このシート１０において、各名刺用紙１０Ａの領域の間には、各名刺用紙１０Ａを単位片とするためのカットラインとしてのライン状切り込みＣが、縦方向および横方向にそれぞれ複数設けられている。このライン状切り込みＣにおいては、隣接する各名刺用紙１０Ａ同士は、完全に分離された状態となっている。
【００１８】
シート１０の外形寸法は、縦約２９７ｍｍ、横約２１０ｍｍである。名刺用紙１０Ａの外形寸法は、縦５５ｍｍ、横９１ｍｍである。周囲に設けられる枠状の余白部分は、上下の余白部分の幅は約１１ｍｍ、左右の余白部分の幅は約１４ｍｍ程度である。
【００１９】
線条に位置するライン状切り込みＣは、断面形状がＶ字の溝形状を有しており、その先端側の単位片印刷用シート１の裏面には、ライン状切り込みＣの形成位置に沿って線条に分離層２０が設けられている。ライン状切り込みＣの先端部分は、分離層２０に到達するように設けられていることが好ましい。より好ましくは、ライン状切り込みＣのＶ字の溝形状の先端部は、分離層２０に入り込む位置にまで達しているとよい。
【００２０】
シート１０の厚さは、約１６０μｍから約３６０μｍ、分離層２０の高さ（Ｈ）は約１０μｍ〜約５０μｍ、幅（Ｗ）は約５０μｍから約１００μｍである（図５参照）。図においては、分離層２０を設ける位置を明確にするために、実際の寸法比率とは異なる比率を用いて図示している。シート１０には、普通紙だでけなく、合成紙、および、フィルム等の様々な種類のシートを用いることが可能である。
【００２１】
分離層２０には、後の単位片印刷用シート１の製造方法において示すように、分離層２０の印刷時には抜カット加工を容易に行なうためにクッション性（柔軟性）を有しており、分離層２０はユーザーが使用する際には、紫外線又は加熱により硬化する材料を用いる方がよい。
【００２２】
分離層２０に用いられる具体的な材料としては、アクリル系接着剤、酢酸ビニル系接着剤、エポキシ樹脂系接着剤、ＥＶＡ系接着剤、および、ポリオレフィン系接着剤等が挙げられる。接着剤を用いたのはシート１０に印刷した後にシート１０からの離脱を防止する目的からである。したがって、必ずしも接着剤を用いなくとも、シート１０に印刷した後にシート１０からの離脱が防止可能な粘着性を有する材料であればよく、接着剤としての機能を有する材料に限定される必要はない。
【００２３】
（単位片印刷用シート１の製造方法）
次に、図５から図８を参照して、上記構成を有する単位片印刷用シート１の製造方法について説明する。図５および図６は、単位片印刷用シート１の製造工程を示す第１および第２断面図、図７は、単位片印刷用シート１の名刺用紙１０Ａへの分離状態を示す断面図、図８は、単位片印刷用シート１の製造工程のフローを示す模式図である。
【００２４】
図５を参照して、まず、シート１０を準備する。次に、ライン状切り込みＣが形成される予定の位置に沿って分離層２０を線条に形成する。本実施の形態では、図８に示すように、シート１０を搬送ローラーＲ１を用いて印刷ローラーＲ２により図２に示すような縦方向および横方向にそれぞれ複数延びる分離層２０を線条に印刷する。
【００２５】
次に、図６を参照して、縦方向および横方向にそれぞれ複数線条に設けられた分離層２０が印刷されたシート１０はそのまま前方に送り込まれ、シート１０の分離層２０が印刷された表面とは反対側の表面において、抜き刃５０とローラーＲ３とを用いて、シート１０の分離層２０に沿ってライン状切り込みＣが入れられる。この時、上述したように、ライン状切り込みＣの先端部分は、分離層２０に到達するように設けられているとよい。好ましくは、ライン状切り込みＣのＶ字の溝形状の先端部は、分離層２０に入り込む位置にまで達しているとよい。たとえば、分離層２０の高さが５０μｍ程度の場合、１０μｍ程度入り込んでいるとよい。これにより、シート１０は、ライン状切り込みＣにより完全に分離される。
【００２６】
なお、シート１０は、ライン状切り込みＣにより完全に分離されるものの、分離層２０の接着作用（粘着作用）により、シート１０が分離することはない。また、ライン状切り込みＣの形成時に、シート１０の断面に毛羽が発生した場合でも、分離層２０の接着作用（粘着作用）により、毛羽が分離層２０に接着し、シート１０の断面をきれいな断面に仕上げることができる。
【００２７】
その後、分離層２０に紫外線硬化材料を用いた場合には、分離層２０に紫外線を照射することにより、分離層２０を硬化させる。一方、分離層２０に加熱硬化する材料を用いた場合には、分離層２０を所定温度で加熱することにより、分離層２０を硬化させる。
【００２８】
次に、図７を参照して、分離層２０が硬化した後の、ライン状切り込みＣに沿って単位片印刷用シート１を名刺用紙１０Ａに分離する場合について説明する。なお、単位片印刷用シート１を分離する場合には、既に単位片印刷用シート１にプリンタ等を用いて所定の印刷が施されている。
【００２９】
本実施の形態における単位片印刷用シート１は、シート１０の一方の面に分離層２０が印刷されているのみであることから、そのままの状態で、複写機またはプリンタを用いた文字等の両面印刷を行なうことができる。なお、両面印刷だけでなく、当然に片面印刷も可能である。
【００３０】
図７に示すように、単位片印刷用シート１をライン状切り込みＣに沿って折り曲げる。これにより、硬化している分離層２０が破断し、単位片印刷用シート１を容易にきれいな断面を持った名刺用紙１０Ａに分離することが可能となる。
【００３１】
このように、本実施の形態における単位片印刷用シート１およびその製造方法によれば、単位片印刷用シート１は簡単な構成を有することから容易に製造することができる。さらに、単位片印刷用シート１をライン状切り込みＣに沿って折り曲げることのみで、単位片印刷用シート１を単位片である名刺用紙１０Ａに分離することができる。また、単位片である名刺用紙１０Ａの断面は、予めライン状切り込みＣに沿ってカットされているため、その断面がきれいなままで、名刺として十分使用することができる。
【００３２】
たとえば、上述した分離層とライン状切り込みＣとの組み合わせに代わり、ミシン目を用いた場合には、破断面にギザギザの凹凸が残存する。その結果、より安価に単位片印刷用シート１を製造することはできるが、名刺としての価値を高めることはできない。一方、本実施の形態における単位片印刷用シート１によれば、ライン状切り込みＣにより名刺用紙１０Ａの端面はきれいに仕上げられていることから、分離後の名刺用紙１０Ａは、名刺としての価値を十分に有する。なお、図においては、構造の理解を容易にするために、シート１０の厚みに対して分離層２０の高さを実際の比率よりも大きく図示しているが、分離層２０の高さは、約５０μｍ程度であることからほとんど視認することのできない高さである。
【００３３】
（実施の形態２：単位片印刷用シート１Ａ）
図９から図１３を参照して、本実施の形態における単位片印刷用シート１Ａについて説明する。図９は、単位片印刷用シート１Ａの平面図、図１０は、シート１０のみの平面図、図１１は、図１０中のＸＩ−ＸＩ線矢視断面図、図１２は、図９中のＸＩＩ−ＸＩＩ線矢視断面図、図１３は、単位片印刷用シート１Ａの名刺用紙１０Ａへの分離状態を示す断面図である。シート１０の外形寸法等は、上記実施の形態１と同様である。
【００３４】
この単位片印刷用シート１Ａは、後に個々に分離される２×５の名刺用紙１０Ａを有しているシート１０と、このシート１０において、各名刺用紙１０Ａの領域の間には、各名刺用紙１０Ａを単位片とするためのカットラインとしてのミシン目状切り込みＣＡが、縦方向および横方向にそれぞれ複数設けられている。
【００３５】
図１０および図１１に示すように、本実施の形態におけるミシン目状切り込みＣＡは、隣接する各名刺用紙１０Ａ同士を部分的に切り離した領域からなり、本実施の形態では、ミシン目で構成されている。なお、ミシン目に限定されることはなく、トムソン（型抜き）加工により形成されたライン状切り込みと継点とが交互に形成された構成であってもよい。
【００３６】
図１２を参照して、分離層２０は、ミシン目状切り込みＣＡが部分的に切り離したシートの断面の領域にまで達するように設けられいている。その結果、ミシン目状切り込みＣＡの形成時に、シート１０の断面に毛羽が発生した場合でも、分離層２０の接着作用（粘着作用）により、毛羽が分離層２０に接着し、シート１０の断面をきれいな断面に仕上げることができる。
【００３７】
シート１０の厚さ、分離層２０の高さ（Ｈ）、幅（Ｗ）、および、材料は、実施の形態１の場合と同様である（図１２参照）。また、実施の形態１の場合と同様に、図においては分離層２０を設ける位置を明確にするために、実際の寸法比率とは異なる比率を用いて図示している。
【００３８】
（単位片印刷用シート１Ａの製造方法）
次に、上記構成を有する単位片印刷用シート１Ａの製造方法について説明する。まず、シート１０を準備する。次に、シート１０にミシン目状切り込みＣＡを入れる。その後、ミシン目状切り込みＣＡに沿って分離層２０を線条に形成する。シート１０は、ミシン目状切り込みＣＡにより断面が形成される。ミシン目状切り込みＣＡの形成時に、シート１０の断面に毛羽が発生した場合でも、分離層２０の接着作用（粘着作用）により、毛羽が分離層２０に接着し、シート１０の断面をきれいな断面に仕上げることができる。
【００３９】
その後、分離層２０に紫外線硬化材料を用いた場合には、分離層２０に紫外線を照射することにより、分離層２０を硬化させる。一方、分離層２０に加熱により硬化する材料を用いた場合には、分離層２０を所定温度で加熱することにより、分離層２０を硬化させる。
【００４０】
次に、図１３を参照して、分離層２０が硬化した後の、ミシン目状切り込みＣＡに沿って単位片印刷用シート１を名刺用紙１０Ａに分離する場合について説明する。なお、単位片印刷用シート１を分離する場合には、既に単位片印刷用シート１にプリンタ等を用いて所定の印刷が施されている。
【００４１】
本実施の形態における単位片印刷用シート１Ａは、シート１０の一方の面に分離層２０が印刷されているのみであることから、そのままの状態で、複写機またはプリンタを用いた文字等の両面印刷を行なうことができる。なお、両面印刷だけでなく、当然に片面印刷も可能である。
【００４２】
図１３に示すように、単位片印刷用シート１をミシン目状切り込みＣＡに沿って折り曲げる。これにより、硬化している分離層２０が破断し、容易に単位片印刷用シート１Ａを容易にきれいな断面を持った名刺用紙１０Ａに分離することが可能となる。
【００４３】
このように、本実施の形態における単位片印刷用シートおよびその製造方法によっても、実施の形態１の場合と同様の作用効果を得ることができる。
【００４４】
以上、実施の形態について説明したが、今回開示された実施の形態はすべての点で例示であって制限的なものではない。本実施の形態の範囲は特許請求の範囲によって示され、特許請求の範囲と均等の意味および範囲内でのすべての変更が含まれる。
【符号の説明】
【００４５】
１，１Ａ  単位片印刷用シート、１０  シート、１０Ａ  名刺用紙（単位片）、２０  分離層、Ｃ  ライン状切り込み、ＣＡ  ミシン目状切り込み。
【図１】
2017001286.tif 000003
【図２】
2017001286.tif 000004
【図３】
2017001286.tif 000005
【図４】
2017001286.tif 000006
【図５】
2017001286.tif 000007
【図６】
2017001286.tif 000008
【図７】
2017001286.tif 000009
【図８】
2017001286.tif 000010
【図９】
2017001286.tif 000011
【図１０】
2017001286.tif 000012
【図１１】
2017001286.tif 000013
【図１２】
2017001286.tif 000014
【図１３】
2017001286.tif 000015